(57)【要約】【課題】監視手段以外の装置を設置するスペースを大きく確保することができるとともに、監視手段が不正に改造される心配のない遊技機を提供する。【解決手段】パチンコ機は、メイン制御ボックスの収納ケースにＩＣタグとアンテナとが設置されている。さらに、サブ統合基板７４を収納したサブ統合基板ボックス７１の収納ケース１１にＲ／Ｗユニット３８が収納されており、その収納ケース１１に、ＩＣタグ２６ｂとアンテナ３２ｂとが設置されている。そして、メイン制御ボックスの収納ケースに設置されたＩＣタグとアンテナ、および、サブ統合基板ボックスの収納ケース１１に設置されたＩＣタグ２６ｂとアンテナ３２ｂが、それぞれ、Ｒ／Ｗユニット３８による制御に基づき無線通信を定期的に繰り返すことによって、メイン制御ボックスの収納ケースおよびサブ統合基板ボックスの収納ケース１１の状態を常時監視する。【選択図】図１０
2004344242.tif 000002
【特許請求の範囲】
【請求項１】
主たる動作を制御するための主制御基板と、副次的な動作を制御するための副制御基板とが別個に設けられており、
呼出波を受信すると記憶している固有の識別情報を含む反射波を出力する非接触ＩＣタグと、その非接触ＩＣタグに対して呼出波を送信し非接触ＩＣタグからの反射波を受信するアンテナとの通信状態を監視する監視装置によって、前記主制御基板等への不正行為を監視する遊技機であって、
前記副制御基板が、前記主制御基板からの指令にしたがって各種の制御を行う副制御手段を備えたものであるとともに、
前記監視装置が、アンテナを介して非接触ＩＣタグと通信を行う監視制御手段を備えたものであり、
その監視制御手段が、前記副制御基板と一体になって収納ケース内に収納されていることを特徴とする遊技機。
【請求項２】
副制御手段と前記監視制御手段とが同一の基板に設置されていることを特徴とする請求項１に記載の遊技機。
【請求項３】
副制御手段と前記監視制御手段とが同一のチップ内にモジュール化されていることを特徴とする請求項１に記載の遊技機。
【請求項４】
主制御基板から副制御基板への指令が、一方向通信であることを特徴とする請求項１〜３のいずれかに記載の遊技機。
【請求項５】
収納ケースが、複数のパーツからなる分割式のものであるとともに、
第二の非接触ＩＣタグおよび第二のアンテナが、それぞれ、前記収納ケースの各パーツに取り付けられており、通信可能な状態で対峙していることを特徴とする請求項１〜４のいずれかに記載の遊技機。
【発明の詳細な説明】
【０００１】
【発明の属する技術分野】
本発明は、パチンコ機、スロットマシーン等の遊技機に関するものである。
【０００２】
【従来の技術】
近年のパチンコ機には、動作内容を制御するＬＳＩやＲＯＭ等の制御素子を分割式の収納ケースに収納した制御装置が設置されている。かかるパチンコ機においては、制御装置の収納ケースを開放しＬＳＩやＲＯＭ等の制御素子を偽造されたものにすり替える不正行為が行われることがある。それゆえ、そのような不正行為を防止可能な遊技機として、固有の識別情報を記憶したＩＣタグを制御装置の収納ケースの表面に貼着するとともに、ＩＤ読取装置を制御装置の近傍に設置し、そのＩＤ読取装置によってＩＣタグの識別情報を一定の周期毎に読み取る（確認する）ようにしたものが考案されている（たとえば、特許文献１参照）。
【０００３】
【特許文献１】
特開２０００−２８８２１８
【０００４】
【発明が解決しようとする課題】
しかしながら、特許文献１に開示された遊技機は、制御装置の監視手段であるＩＤ読取装置を設置するために大きなスペースが必要であるので、背面の構成によっては、ＩＤ読取装置を出張らないように収納することができないし、メイン制御装置等の監視手段以外の装置を設置するスペースが小さくなり、背面のレイアウトが限定されてしまう、という不具合もある。また、ＩＤ読取装置が外部に設置されているので、不正に改造されて、制御装置の不正開放をリアルタイムで検知することができなくなってしまうこともある。
【０００５】
本発明の目的は、上記従来の遊技機が有する問題点を解消し、メイン制御装置等の監視手段以外の装置を設置するスペースを大きく確保することができるとともに、監視手段が不正に改造される心配のない遊技機を提供することにある。
【０００６】
【課題を解決するための手段】
かかる本発明の構成のうち、請求項１に記載された発明の構成は、主たる動作を制御するための主制御基板と、副次的な動作を制御するための副制御基板とが別個に設けられており、呼出波を受信すると記憶している固有の識別情報を含む反射波を出力する非接触ＩＣタグと、その非接触ＩＣタグに対して呼出波を送信し非接触ＩＣタグからの反射波を受信するアンテナとの通信状態を監視する監視装置によって、前記主制御基板等への不正行為を監視する遊技機であって、前記副制御基板が、前記主制御基板からの指令にしたがって各種の制御を行う副制御手段を備えたものであるとともに、前記監視装置が、アンテナを介して非接触ＩＣタグと通信を行う監視制御手段を備えたものであり、その監視制御手段が、前記副制御基板と一体になって収納ケース内に収納されていることにある。なお、主たる動作とは、遊技媒体の払い出しや、遊技者にとって有利な「大当たり状態」を生起させるか否かの「抽選」等の各種の動作（すなわち、遊技者の利益に直接的に関わる動作）のことであり、副次的な動作とは、図柄表示装置における図柄の表示、電飾ランプの発光、スピーカによる効果音の発生等の主たる動作以外の各種の動作のことである。
【０００７】
請求項２に記載された発明の構成は、請求項１に記載された発明において、副制御手段と前記監視制御手段とが同一の基板に設置されていることにある。
【０００８】
請求項３に記載された発明の構成は、請求項１に記載された発明において、副制御手段と前記監視制御手段とが同一のチップ内にモジュール化されていることにある。
【０００９】
請求項４に記載された発明の構成は、請求項１〜３のいずれかに記載された発明において、主制御基板から副制御基板への指令が、一方向通信であることにある。
【００１０】
請求項５に記載された発明の構成は、請求項１〜４のいずれかに記載された発明において、収納ケースが、複数のパーツからなる分割式のものであるとともに、第二の非接触ＩＣタグおよび第二のアンテナが、それぞれ、前記収納ケースの各パーツに取り付けられており、通信可能な状態で対峙していることにある。
【００１１】
【発明の実施の形態】
以下、本発明に係る遊技機の一実施形態であるパチンコ機について、図面に基づき、次の目次の順序にしたがって、詳細に説明する。
１．実施例のパチンコ機の概要
２．実施例のパチンコ機の構造
３．実施例のパチンコ機の動作内容
４．実施例のパチンコ機の効果
５．本発明の変更例の説明
【００１２】
１．実施例のパチンコ機の概要
実施例のパチンコ機は、メイン制御基板（主制御基板）を収納したメイン制御ボックスの収納ケースに第一ＩＣタグ（非接触ＩＣタグ）と第一アンテナとが設置されている。さらに、サブ統合基板（副制御基板）を収納したサブ統合基板ボックスの収納ケースに監視装置が収納されており、そのサブ統合基板ボックスの収納ケースに、第二ＩＣタグ（非接触ＩＣタグ）と第二アンテナとが設置されている。そして、メイン制御ボックスの収納ケースに設置された第一ＩＣタグと第一アンテナとが、監視装置による制御に基づき無線通信を定期的に繰り返すことによって、メイン制御ボックスの収納ケースの状態（不正開閉の有無等）を常時監視するようになっている。また、サブ統合基板ボックスの収納ケースに設置された第二ＩＣタグと第二アンテナとが、監視装置による制御に基づき無線通信を定期的に繰り返すことによって、サブ統合基板ボックスの収納ケースの状態（不正開閉の有無等）をも常時監視するようになっている。
【００１３】
２．実施例のパチンコ機の構造
図１は、実施例のパチンコ機を示したものであり、パチンコ機１は、中央よりやや上側に遊技盤３９が設けられており、その遊技盤３９の表面には、ガイドレールで囲まれた略円形の遊技領域４１が設けられている。また、遊技盤３９の下側には、内蔵された発射装置に遊技球を供給するための供給皿４２が設けられており、その供給皿４２の下側には、供給皿４２から溢れた遊技球を貯留するための貯留皿４３が設けられている。さらに、供給皿４２と貯留皿４３との間には、効果音を発生させるスピーカ４４が設けられており、貯留皿４３の右側には、発射装置を操作するための発射ハンドル４５が設けられている。また、遊技領域４１の略中央には、図柄表示装置４６が設けられており、液晶画面４７に、種々の動画やメッセージ等を表示することができるようになっている。さらに、図柄表示装置４６の下側には、図柄始動口４８が設けられており、その図柄始動口４８の下方には、扉部材を開閉させるアタッカ部材４９が設けられている。加えて、遊技領域４１には、サイドランプ８５，８５、電飾ランプ８６，８６・・が設置されている。
【００１４】
一方、図２は、パチンコ機１の背面を示したものであり、パチンコ機１の背面の左下方には、パチンコ機の主たる作動内容を制御するためのメイン制御ボックス３６が設けられている。図３〜図５は、それぞれ、メイン制御ボックス３６の正面図、左側面図、分解斜視図であり、メイン制御ボックス３６は、各種の制御素子を搭載した主制御基板であるメイン制御基板２、メイン制御基板２を覆うための分割式の収納ケース１０、無線による所定の呼出波を受信すると記憶している固有の識別情報を含む反射波を無線により出力するＩＣタグ２６ａ、ＩＣタグ２６ａに対して呼出波を送信しＩＣタグ２６ａからの反射波を受信するアンテナ３２ａ等によって構成されている。また、分割式の収納ケース１０は、カバー部材である透明な合成樹脂製の上ケース３と、ベース部材である透明な合成樹脂製の下ケース４とによって構成されている。
【００１５】
上ケース３は、透明な合成樹脂（アクリル樹脂等）によって開口した箱状に形成されており、長方形状のフロントパネル５の周囲が、略直角に後方に折り返された状態になっている。フロントパネル５の右側の折返し部６の後端縁際には、３個の縦長な係止孔７，７・・が等間隔で穿設されている。また、フロントパネル５の左側の折返し部８には、２個の係合翼９ａ，９ｂが設けられている。さらに、上側の係合翼９ａの上端、および、下側の係合翼９ｂの下端には、それぞれ、係合孔１２が穿設されている。また、フロントパネル５の上端際には、コネクタ挿通窓１４が設けられている。
【００１６】
また、下ケース４は、透明な合成樹脂（アクリル樹脂等）によって扁平な直方体状に形成されている。そして、長方形状の基板支持板１６の表面に、補強用のリブ１７，１７・・が格子状に立設されており、基板支持板１６の周囲が略直角に前方に折り返された状態になっている。また、下ケース４の右端縁際には、後述する効果音制御装置５６を覆うための中空状の音基板カバー１９が設けられており、その音基板カバー１９の内側面には、嵌合突起２０，２０・・が突設されている。さらに、左側の折返し部２１には、２個の支持翼２２ａ，２２ｂが連設されており、支持翼２２ａの上端、および、支持翼２２ｂの下端には、それぞれ、先端を矢尻状に形成した係合体２４，２４が突設されている。
【００１７】
一方、メイン制御基板２は、縦長な長方形に形成されており、中央部分の表面に、パチンコ機１の動作内容を制御するためのＬＳＩ２５等の各種の制御素子が搭載されている。なお、ＬＳＩ２５は、各種の演算処理を行うＣＰＵ、データやプログラム等を一時的に記憶するＲＡＭ、各種のデータや制御プログラム等を記憶したＲＯＭ等を一体にモールディングしたものである。また、メイン制御基板２の上端際には、各種の装置に接続するためのコネクタ１３，１３・・が設置されている。かかるメイン制御基板２は、リブ１７，１７・・に支えられた状態で、下ケース４に螺着されている。
【００１８】
メイン制御ボックス３６は、下ケース４の右側の音基板カバー１９の内側面に突設された嵌合突起２０，２０・・を、上ケース３の右側の折返し部６に穿設された係止孔７，７・・に嵌合させた状態で、下ケース４の左側の各支持翼２２ａ，２２ｂに突設された各係合体２４，２４を、上ケース３の左側の各係合翼９ａ，９ｂに穿設された各係合孔１２，１２に係合させることによって、下ケース４と上ケース３とが一体になっている。そして、下ケース４と上ケース３とでメイン制御基板２を覆い、メイン制御基板２を外部と遮断している。
【００１９】
また、下ケース４の左端縁の支持翼２２ａの外側には、扁平な長方形状のＩＣタグ２６ａ（非接触ＩＣタグ）が貼着されている。図６は、ＩＣタグ２６ａの外観を示したものであり、図７は、ＩＣタグ２６ａの制御機構を示したものである。ＩＣタグ２６ａは、薄いフレキシブルプリント基板２７上に、ＲＦ回路２８とＥＥＰＲＯＭ２９とを一体にしたＩＣチップ３０、および送受信回路３１を設けたものであり、ＲＦ回路２８にＥＥＰＲＯＭ２９と送受信回路３１とが接続された状態になっている。そして、ＥＥＰＲＯＭ２９の上書消去禁止区域には、ＩＣタグ２６ａを他のＩＣタグと識別するためのＩＤコード、メーカーＩＤ、ホールＩＤ等の識別データが記憶されている。かかるＩＣタグ２６ａは、接着剤によって下ケース４に強固に接着されている。
【００２０】
一方、図３の如く、上ケース３の係合翼９ａには、アンテナ３２ａが、略半分を係合翼９ａの表面に沿って外側（下ケース４の方向）に突出させた状態で貼着されている。そして、上ケース３と下ケース４とを組み付けた状態においては、アンテナ３２ａが、下ケース４の支持翼２２ａの外側に接着されたＩＣタグ２６ａを覆っており、ＩＣタグ２６ａと対峙した状態になっている。図８は、アンテナ３２ａを示したものであり、アンテナ３２ａは、硬質な合成樹脂（ポリカーボネート）製のプリント基板３４の表面に、送受信回路３５が渦巻き状に形成されている。そして、送受信回路３５の両端縁の端子３３，３３に、同軸ケーブル３７が接続されている。
【００２１】
上記したＩＣタグ２６ａは、アンテナ３２ａとの間で、所定の周波数（ここでは、１３．５６ＭＨｚ）を利用して、ノイズの影響が比較的に少ないＲＦ送受信を行うことができ、呼出波を受信すると、予め登録された識別情報を含む反射波を、所定の通信範囲（約１ｍｍ）内に出力（返信）する。なお、反射波の返信は、ＥＥＰＲＯＭ２９からＩＤコード等の識別情報を読み出し、その識別情報を反射波に乗せてＲＦ回路２８から送信することによって行われる。また、ＩＣタグ２６ａは、呼出波が送信されると、その呼出波を送受信回路３１が受信し、呼出波に含まれた搬送波成分をＲＦ回路２８で整流することによって直流電圧を得ることができる。したがって、ＩＣタグ２６ａは、外部からの電源供給を受けることなく必要な時にいつでも反射波を返信することができる。また、呼出波に乗せて送信された特定のデータ（異常の履歴等）をＥＥＰＲＯＭ２９に記憶しておくこともできる。
【００２２】
一方、図２の如く、メイン制御ボックス３６の右側には、遊技領域４１に設置されたサイドランプ８５，８５や電飾ランプ８６，８６・・等の発光を制御するための発光制御基板５５が設けられている。また、メイン制御ボックス３６の右端際の音基板カバー１９の内部には、スピーカ４４から発生させる効果音の内容を制御するための効果音制御基板５６が設けられている。加えて、発光制御基板５５の右上方には、賞品球や貸球を払い出すための遊技球払出装置５７が設置されている。また、メイン制御ボックス３６の上方には、センターカバー５０が設置されており、そのセンターカバー５０の内部には、図９の如く、図柄表示装置４６による図柄の表示内容を制御するための図柄制御基板５４、各種の装置や基板を電気的に接続するための接続部材７０、サブ統合基板ボックス７１等が内蔵されている。
【００２３】
図１０は、サブ統合基板ボックス７１の左側面を示したものであり、統合基板ボックス７１は、上カバー７２、下カバー７３、副制御基板であるサブ統合基板７４等によって構成されている。なお、上カバー７２、下カバー７３は、分割式の収納ケース１１を構成するパーツである。
【００２４】
上カバー７２は、透明な合成樹脂によって開口した箱状に形成されており、長方形状のフロントパネル７５の外周が、略直角に前方へ折り返された状態になっている。そして、その折返し部の前端際には、複数の係合片７６，７６・・が設置されており、折返し部の外端縁からコ字状に前方へ突出した状態になっている。また、フロントパネル７５の内面には、メイン制御ボックス３６に設置されたＩＣタグ２６ａと同一のＩＣタグ２６ｂが、接着剤によって強固に貼着されている。
【００２５】
また、下カバー７３は、透明な合成樹脂によって、扁平な直方体状に形成されており、長方形状のリアパネル７７の周囲が、略直角に後方へ折り返された状態になっている。そして、その折返し部には、複数の係合突起７８，７８・・が突設されている。さらに、下カバー７３の内部には、サブ統合基板７４が、リアパネル７７と所定の間隔を隔てて平行になるように設置されている。
【００２６】
サブ統合基板７４には、図柄制御基板５４、発光制御基板５５、効果音制御基板５６を統合して制御するための副制御手段であるＬＳＩ８７等の制御素子が搭載されている。また、サブ統合基板７４には、図柄表示装置４６の表示様式を変更するためのディップスイッチ７９が設置されている。さらに、サブ統合基板７４には、メイン制御ボックス３６に設置されたアンテナ３２ａと同一のアンテナ３２ｂが設置されている。加えて、サブ統合基板７４には、メイン制御ボックス３６およびサブ統合基板ボックス７１の状態を監視するための監視装置であるリーダ／ライタユニット（以下、Ｒ／Ｗユニットという）３８が設置されている。
【００２７】
図１１は、Ｒ／Ｗユニット３８の制御機構を示したものであり、Ｒ／Ｗユニット３８は、ＣＰＵ５１、ＲＡＭ６３、ＲＯＭ６４、ＥＥＰＲＯＭ５２、タイマ５３、ＩＣタグ２６ａとの間でＲＦ送受信を行うための監視制御手段であるＲＦ回路５８等を有している。また、ＣＰＵ５１が、Ｉ／Ｏインタフェイス５９を介して、外部の装置等へ信号を出力する際の出力ポートであるＬＡＮユニット６０、メイン制御基板２のＬＳＩ２５等と接続されている。さらに、ＲＦ回路５８が、アンテナ３２ａの同軸ケーブル３７およびアンテナ３２ｂの同軸ケーブル３７と接続されている。加えて、ＬＡＮユニット６０は、外部のネットワーク（ＰＣやＰＤＡ等の携帯端末）と接続されている。なお、Ｒ／Ｗユニット３８は、２４時間（常時）電源供給されるようになっている。
【００２８】
サブ統合基板ボックス７１は、上カバー７２の係合片７６，７６・・を下カバー７３の係合突起７８，７８・・に係合させることによって上カバー７２と下カバー７３とを合着させた状態で、サブ統合基板７４を収納している。そして、上カバー７２のフロントパネル７５の内面に接着されたＩＣタグ２６ｂが、サブ統合基板７４上のアンテナ３２ｂと所定の距離を隔てて対峙しており、通信可能な状態になっている。
【００２９】
また、図１２は、パチンコ機１の制御機構を示したものである。メイン制御基板２は、ＣＰＵを内蔵したＬＳＩ２５、ＲＯＭやＲＡＭ等の記憶手段８１、タイマ８４等を有しており、ＬＳＩ２５が、Ｉ／Ｏインタフェイス６７を介して、図柄始動口４８等の入賞装置への入賞を検出するための入賞検出装置６６、アタッカ部材４９等の可動式入賞装置を作動させるための作動装置６５、遊技球払出装置５７等と接続されている。また、メイン制御基板２は、サブ統合基板７４を介して、図柄制御基板５４、発光制御基板５５、効果音制御基板５６と接続されている。
【００３０】
３．実施例のパチンコ機の動作内容
パチンコ機１は、メイン制御基板２のＬＳＩ２５に記憶されたプログラムにしたがって、主たる遊技動作を実行する。そして、発射ハンドル４５の回転操作によって遊技領域４１に打ち出された遊技球が各種の入賞装置に遊技球が入賞した場合には、遊技球払出装置５７が、所定数の遊技球を賞品球として供給皿４２に払い出す。また、遊技領域４１に打ち出された遊技球が図柄始動口４８に入賞すると、「抽選」を実行し、「大当たり」を生起させるか否かを決定する。さらに、「抽選」を実行すると略同時に、メイン制御基板２からサブ統合基板７４を介して図柄制御基板５４にコマンドを送信することによって、図柄表示装置４６に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示し、しかる後に、「大当たり状態」を生起させる。「大当たり状態」においては、アタッカ部材４９の扉部材を所定回数だけ断続的に開成させる。したがって、「大当たり状態」が生起した場合には、遊技者は、多くの賞品球を獲得することが可能となる。
【００３１】
また、パチンコ機１は、メイン制御基板２からサブ統合基板７４を介して発光制御基板５５へコマンドを送信することによって、所定のタイミングで、サイドランプ８５，８５や電飾ランプ８６，８６・・等の発光部材を発光させる。さらに、メイン制御基板２からサブ統合基板７４を介して効果音制御基板５６へコマンドを送信することによって、所定のタイミングでスピーカ４４から効果音を発生させる。
【００３２】
一方、パチンコ機１は、メイン制御ボックス３６の状態を監視するために、Ｒ／Ｗユニット３８のＲＦ回路５８が、メイン制御ボックス３６のアンテナ３２ａを介して、メイン制御ボックス３６のＩＣタグ２６ａに対して、所定の周波数（１３．５６ＭＨｚ）の呼出波を送信（ＲＦ送信）する。ＩＣタグ２６ａは、呼出波を受けると、直ちに、ＥＥＰＲＯＭ２９内から識別コードを呼び出し、その識別コードを含めた反射波を送信（ＲＦ送信）する。
【００３３】
ＩＣタグ２６ａが反射波を送信すると、Ｒ／Ｗユニット３８は、アンテナ３２ａによって、その反射波を受信（ＲＦ受信）する。Ｒ／Ｗユニット３８は、反射波に含まれる識別コードが登録されたものであると確認すると、再度、直ちに呼出波を送信することにより、メイン制御ボックス３６の監視動作を、短時間（約数十ｍｓ）の周期で繰り返し実行する。そして、呼出波を送信してから所定時間（たとえば、５０ｍｓ）内に反射波を受信しなかった場合には、異常と判断し、異常を検知した旨をＥＥＰＲＯＭ５２に記憶し、ＬＡＮユニット６０を介して異常検知信号を外部のネットワークへ出力し、管理者へ報知する。
【００３４】
したがって、メイン制御ボックス３６が不正に開放された場合には、ＩＣタグ２６ａがアンテナ３２ａからの呼出波に応答して反射波を送信できなり、Ｒ／Ｗユニット３８が、アンテナ３２ａに呼出波を送信しても、ＩＣタグ２６ａから所定時間内に反射波を受信することができないため、異常を検知した旨がＥＥＰＲＯＭ５２に記憶されるとともに、ＬＡＮユニット６０から異常検知信号が外部のネットワークへ出力され、管理者へ報知される。
【００３５】
また、パチンコ機１は、サブ統合基板ボックス７１の状態を監視するために、Ｒ／Ｗユニット３８のＲＦ回路５８が、サブ統合基板ボックス７１のアンテナ３２ｂを介して、サブ統合基板ボックス７１のＩＣタグ２６ｂに対して、所定の周波数（１３．５６ＭＨｚ）の呼出波を送信する。ＩＣタグ２６ｂは、呼出波を受けると、直ちに、ＥＥＰＲＯＭ２９内から識別コードを呼び出し、その識別コードを含めた反射波を送信する。
【００３６】
ＩＣタグ２６ｂが反射波を送信すると、Ｒ／Ｗユニット３８は、アンテナ３２ｂによって、その反射波を受信する。Ｒ／Ｗユニット３８は、反射波に含まれる識別コードが登録されたものであると確認すると、再度、直ちに呼出波を送信することにより、サブ統合基板ボックス７１の監視動作を、短時間（約数十ｍｓ）の周期で繰り返し実行する。そして、呼出波を送信してから所定時間（たとえば、５０ｍｓ）内に反射波を受信しなかった場合には、異常と判断し、異常を検知した旨をＥＥＰＲＯＭ５２に記憶し、ＬＡＮユニット６０を介して異常検知信号を外部のネットワークへ出力し、管理者へ報知する。
【００３７】
したがって、サブ統合基板ボックス７１が不正に開放された場合には、ＩＣタグ２６ｂがアンテナ３２ｂからの呼出波に応答して反射波を送信できなり、Ｒ／Ｗユニット３８が、アンテナ３２ｂに呼出波を送信しても、ＩＣタグ２６ａから所定時間内に反射波を受信することができないため、異常を検知した旨がＥＥＰＲＯＭ５２に記憶されるとともに、ＬＡＮユニット６０から異常検知信号が外部のネットワークへ出力され、管理者へ報知される。
【００３８】
４．実施例のパチンコ機の効果
パチンコ機１は、上記の如く、Ｒ／Ｗユニット３８（監視装置）のＲＦ回路５８（監視制御手段）が、サブ統合基板７４と一体になってサブ統合基板ボックス７１の収納ケース１１内に収納されており、外部からアクセスすることができない（直接触れることができない）ようになっているため、不正監視用の装置の設置スペースが小さく、不正監視用の装置以外の装置の設置スペースが大きく、背面のレイアウトの自由度が大きい。また、Ｒ／Ｗユニット３８のＲＦ回路５８とサブ統合基板７４とに、別個に、不正監視用のＩＣタグおよびアンテナを設置する必要がないため、安価に製造することができる。
【００３９】
また、パチンコ機１は、ＬＳＩ８７（副制御手段）とＲＦ回路５８とが同一のサブ統合基板７４（副制御基板）に設置されているため、ＲＦ回路５８の監視を、ＬＳＩ８７の監視とともに効率良く行うことができる。
【００４０】
さらに、パチンコ機１は、メイン制御基板２からサブ統合基板７４への指令が、一方向通信であるため、出荷前に行う保安電子通信技術協会（いわゆる保通協）によるメイン制御基板２の検査を、短時間で終了させることができる。
【００４１】
加えて、パチンコ機１は、サブ統合基板７４を収納する収納ケース１１が複数のパーツ（上カバー７２、下カバー７３）からなる分割式のものであるとともに、ＩＣタグ２６ｂおよびアンテナ３２ｂが、それぞれ、収納ケース１１の各パーツ（上カバー７２、下カバー７３）に取り付けられており、ＲＦＩＤ通信可能な状態で対峙しているため、Ｒ／Ｗユニット３８の不正な改造を防止することができる。それゆえ、メイン制御ボックス３６の不正開放の監視の精度が高い。それにも拘わらず、サブ統合基板７４やＲ／Ｗユニット３８の修理やメンテナンス等の必要な場合には、容易に収納ケース１１を開放することができる。
【００４２】
５．本発明の変更例の説明
本発明の制御装置は、上記実施形態の態様に何ら限定されるものではなく、主制御基板、副制御基板、副制御手段、監視装置、監視制御手段、収納ケース、ＩＣタグ、アンテナの材料、形状、構造等の構成を本発明の趣旨を逸脱しない範囲内で適宜変更することができる。
【００４３】
たとえば、遊技機は、サブ統合基板にＲ／Ｗユニットを設置したものに限定されず、図柄表示基板や効果音制御基板等の基板にＲ／Ｗユニットを設置したものでも良い。また、遊技機は、Ｒ／Ｗユニットのすべてのパーツを同一の場所に設置したものに限定されず、ＲＦ回路等のＲ／Ｗユニットの一部のパーツを別の場所に設置したものでも良い。加えて、サブ統合基板は、図柄制御基板、発光制御基板、効果音制御基板を統合して制御するものに限定されず、図柄制御基板、発光制御基板、効果音制御基板の内の一部、あるいは図柄制御基板、発光制御基板、効果音制御基板以外の基板を統合して制御するものに変更することも可能である。
【００４４】
また、遊技機は、ＬＳＩ等の副制御手段とＲＦ回路等の監視制御手段とを同一の基板に設置したものに限定されず、副制御手段と監視制御手段とを同一の収納ケース内において別々に設置したものでも良い。加えて、遊技機は、副制御手段と監視制御手段とを同一のチップ内にモジュール化（一体的にモールド）したものでも良い。かかる構成を採用した場合には、監視装置の設置用のスペースをきわめて小さくすることができるので、不正監視用の装置以外の装置の設置スペースを非常に大きく確保することが可能となる。
【００４５】
さらに、分割式の収納ケースは、上記実施形態の如く、シンプルな係合機構のみを設けたものに限定されず、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、収納ケースが不正に開放されると、収納ケースに不正に開放された痕跡が残り、目視によっても、その事態を速やかに把握することができるため、収納ケースの不正開放が一層困難なものとなる、というメリットがある。
【００４６】
一方、監視装置は、メイン制御ボックスの不正監視を行うものに限定されず、アタッカ部材の開閉扉の不正開放の監視や前面枠の不正開放の監視等を行うものでも良い。また、遊技機は、上記実施形態の如く、監視制御手段および副制御基板を収納した収納ケースを監視する第二のＩＣタグおよび第二のアンテナを１セットのみ取り付けたものに限定されず、第二のＩＣタグおよび第二のアンテナを２セット以上取り付けたものでも良い。加えて、遊技機は、上記実施形態の如く、第二のＩＣタグおよび第二のアンテナ以外のＩＣタグおよびアンテナ（すなわち、上記実施形態における第一のアンテナおよび第一のアンテナ）を１セットのみ取り付けたものに限定されず、第二のＩＣタグおよび第二のアンテナ以外のＩＣタグおよびアンテナを２セット以上取り付けたものでも良い。
【００４７】
また、ＩＣタグやアンテナを収納ケースに取り付ける方法は、接着剤による接着に限定されず、ＩＣタグやアンテナを構成する樹脂を収納ケースに融着させる方法や、ＩＣタグやアンテナを収納ケースと一体的に成形する方法等の別の取付方法に変更することも可能である。なお、シート状のＩＣタグやアンテナを、裏面に粘着剤を塗布したシールとするとともに、粘着剤層の表面に剥離紙を貼着しておき、設置する際に剥離紙を剥離して貼着するようにすれば、ＩＣタグやアンテナの設置が非常に容易になる、というメリットがある。
【００４８】
さらに、副制御基板の収納ケースへのＩＣタグおよびアンテナの設置態様は、上記実施形態の如く、収納ケースの上カバーにＩＣタグを設置するとともに下カバーに固着された基板にアンテナを設置する態様に限定されず、収納ケースの上カバーにＩＣタグおよびアンテナの内の片方を設置するとともに下カバーに直接的に他方を設置する態様等に変更することも可能である。
【００４９】
加えて、Ｒ／Ｗユニットは、定期的（周期的）な監視のみを行うものに限定されず、テンキー等の入力手段が設けられており、所定の入力をすることによって、任意のタイミングで監視を行うことができるものに変更することも可能である。なお、Ｒ／Ｗユニットを、上記実施形態の如く、ごく短期間の周期の定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＯＭ，ＲＡＭ、ハードディスク、光メディア等の記憶手段に記憶するもの等でも良い。さらに、Ｒ／Ｗユニットは、パチンコ機が設置される島設備から電源供給を受けるものに限定されず、パチンコ機から電源供給を受けるもの等でも良い。加えて、パチンコ機から２４時間（常時）バックアップ電源の供給を受けるものでも良い。また、Ｒ／Ｗユニットは、営業時間中には異常事態の報知のみを行い、パチンコ機が稼働していない夜間等には監視履歴情報をＥＥＰＲＯＭ等の記憶手段に記憶させるものに変更することも可能である。さらに、Ｒ／Ｗユニットは、携帯端末（たとえば、ＰＤＡや携帯電話）等の外部の機器からの呼び出しに応じて、記憶手段に記憶させた監視履歴に関する情報を出力するものとすることも可能である。加えて、Ｒ／Ｗユニットは、異常を検知した場合に外部のネットワーク（ＰＣやＰＤＡ等の携帯端末）へ異常検知信号を出力するものに限定されず、遊技機の前面に設けられたランプ等の報知手段によって異常を検知した旨を報知するもの等に変更することも可能である。なお、Ｒ／Ｗユニットと外部のネットワークとの接続方法は、有線による接続に限定されず、無線による接続でも良い。
【００５０】
また、ＩＣタグは、他のＩＣタグと識別するためのＩＤコードのみならずメーカーＩＤやホールＩＤ等の識別情報をも記憶させたものに変更することも可能である。さらに、ＩＣタグは、ＲＦＩＤ通信を利用して識別情報を送信するものに限定されず、赤外線通信（たとえば、ＩｒＩＤ通信）を利用して識別情報を送信するもの等に変更することも可能である。
【００５１】
加えて、本発明の遊技機は、パチンコ機に限定されず、スロットマシーンやテレビゲーム等のパチンコ機以外の遊技機に変更することも可能である。
【００５２】
【発明の効果】
請求項１に記載された遊技機は、非接触ＩＣタグおよびアンテナを利用して不正行為を監視する監視装置の監視制御手段が、副制御基板と一体となって収納ケース内に収納されているため、不正監視用の装置の設置スペースが小さく、不正監視用の装置以外の装置の設置スペースが大きく、背面のレイアウトの自由度が大きい。
【００５３】
請求項２に記載された遊技機は、副制御手段と監視制御手段とが同一の基板に設置されているため、監視制御手段の監視を、副監視手段の監視とともに効率良く行うことができる。
【００５４】
請求項３に記載された遊技機は、副制御手段と監視制御手段とが同一のチップ内にモジュール化されているため、監視装置の設置用のスペースをきわめて小さくすることができるので、不正監視用の装置以外の装置の設置スペースを非常に大きく確保することができる。
【００５５】
請求項４に記載された遊技機は、主制御基板から副制御基板への指令が、一方向通信であるため、出荷前に行う保安電子通信技術協会による主制御基板の検査を、短時間で終了させることができる。
【００５６】
請求項５に記載された遊技機は、収納ケースが、複数のパーツからなる分割式のものであるとともに、第二の非接触ＩＣタグおよび第二のアンテナが、それぞれ、収納ケースの各パーツに取り付けられており、通信可能な状態で対峙しているため、監視装置の不正な改造を防止することができる。それゆえ、主制御装置等の不正開放の監視の精度が高い。それにも拘わらず、副制御基板や監視装置の修理やメンテナンス等の必要な場合には、容易に収納ケースを開放することができる。
【図面の簡単な説明】
【図１】パチンコ機の正面図である。
【図２】パチンコ機の背面図である。
【図３】メイン制御装置の正面図である。
【図４】メイン制御装置の左側面図である。
【図５】メイン制御装置の分解斜視図である。
【図６】ＩＣタグの正面図である。
【図７】ＩＣタグの制御機構を示すブロック図である。
【図８】アンテナの正面図である。
【図９】センターカバーの内部を示す説明図である。
【図１０】サブ統合基板ボックスの左側面図である。
【図１１】Ｒ／Ｗユニットの制御機構を示すブロック図である。
【図１２】パチンコ機の制御機構を示すブロック図である。
【符号の説明】
１・・パチンコ機、２・・メイン制御基板（主制御基板）、１１・・収納ケース、２６ａ，２６ｂ・・ＩＣタグ、３２ａ，３２ｂ・・アンテナ、３８・・Ｒ／Ｗユニット（監視装置）、５８・・ＲＦ回路（監視制御手段）、７２・・上カバー、７３・・下カバー、７４・・サブ統合基板（副制御基板）、８７・・ＬＳＩ（副制御手段）。
【図１】
2004344242.tif 000003
【図２】
2004344242.tif 000004
【図３】
2004344242.tif 000005
【図４】
2004344242.tif 000006
【図５】
2004344242.tif 000007
【図６】
2004344242.tif 000008
【図７】
2004344242.tif 000009
【図８】
2004344242.tif 000010
【図９】
2004344242.tif 000011
【図１０】
2004344242.tif 000012
【図１１】
2004344242.tif 000013
【図１２】
2004344242.tif 000014